(57)【要約】【課題】持ち運びが簡単で使い勝手がよく、しかも、極めてセキュリティ機能が高く容易に認証データの盗用ができないパーソナルコンピュータにおける認証装置を提供する。【解決手段】ハードウエアロック２２には、認証データがハードウエアによって記録されている。また、フラッシュメモリ２３には、ハードウエアロックのコントロールを行うデバイスドライバが記憶されている。ＵＳＢハブ２４はこれらのハードウエアロック２２とフラッシュメモリ２３をＵＳＢコネクタ２５に接続する。認証時において、ユーザがコネクタ２５をパーソナルコンピュータ１２のＵＳＢコネクタ２１に接続すると、パーソナルコンピュータ１２のＣＰＵ１３がフラッシュメモリ２３内のデバイスドライバをＲＡＭ１５に読み込み、読み込んだドライバを使用してハードウエアロック２２にアクセスし、認証を行う。【選択図】　　図１
2004086584.tif 000002
【特許請求の範囲】
【請求項１】
パーソナルコンピュータに着脱自在に接続され、所有者の認証に用いられる認証装置において、
認証データがハードウエアによって記録されたハードウエアロックと、
前記ハードウエアロックのコントロールを行うデバイスドライバが記憶され、前記パーソナルコンピュータによるアクセスが可能なメモリと、
前記ハードウエアロックおよび前記メモリを前記パーソナルコンピュータに接続する接続手段と、
を具備することを特徴とするパーソナルコンピュータにおける認証装置。
【請求項２】
前記接続手段は、前記ハードウエアロックおよび前記メモリを前記パーソナルコンピュータのＵＳＢ端子に接続することを特徴とする請求項１に記載のパーソナルコンピュータにおける認証装置。
【発明の詳細な説明】
【０００１】
【発明の属する技術分野】
この発明は、パーソナルコンピュータ（以下、パソコンという）に係り、特に、ユーザの個人認証を行う認証装置に関する。
【０００２】
【従来の技術】
近年、パソコンは社内ＬＡＮやインターネットによって多くの他のコンピュータと結ばれており、このため、セキュリティの確保が益々重要視されている。
従来、セキュリティチェックにおいて利用される認証データはＨＤＤ（ハードディスク）に記憶されることが多かったが、パソコンが盗難にあった場合はそのまま利用されてしまう虞れがあった。そこで、最近、フラッシュメモリによるＵＳＢ（Ｕｎｉｖｅｒｓａｌ　Ｓｅｒｉａｌ　Ｂｕｓ）メモリに認証データを記憶させ、パソコンの使用時に、このＵＳＢメモリをパソコンのＵＳＢコネクタに差し込んで認証を行うものが開発されている。
【０００３】
この認証方式は、携帯性に優れており、他のパソコンであってもこのＵＳＢメモリがあれば認証が可能であり、使い勝手がよい長所がある。しかしながら、このように、ＵＳＢメモリをそのまま利用する場合には、認証データを容易に外部に取り出すことができることから、セキュリティ上に問題がある。
【０００４】
他方、近年、図３に示すように、小型ハードウエア回路からなるハードウエアロック１が利用されつつある。このハードウエアロック１は、先端部にＵＳＢコネクタが取り付けられ、このコネクタをパソコン２の使用に先立ってパソコン２のＵＳＢコネクタに差し込むと、パソコン２においてハードウエアロック１を利用した認証が行われる。このハードウエアロック１による認証方式も携帯性がよく、使い勝手がよい長所がある。
【０００５】
【発明が解決しようとする課題】
しかしながら、このハードウエアロック１はメモリではなく、したがって、一般的なパソコン２が直接アクセスすることはできない。パソコン２がハードウエアロック１を利用するには、デバイスドライバをパソコン２にインストールすることが必要である。このため、例えば、図３に示すフロッピディスクドライブ３をパソコン２に取り付け、フロッピディスクに書き込まれたデバイスドライバを、ハードウエアロック１の使用前にパソコン２にインストールすることが必要となる。このように、ハードウエアロック１による認証は、ハードウエアロック１と共にフロッピディスクドライブ３を持ち運ばなければならず、使い勝手が悪い欠点があった。
【０００６】
この発明は、このような事情を考慮してなされたもので、その目的は、持ち運びが簡単で使い勝手がよく、しかも、極めてセキュリティ機能が高く容易に認証データの盗用ができないパーソナルコンピュータにおける認証装置を提供することにある。
【０００７】
【課題を解決するための手段】
この発明は上記の課題を解決するためになされたもので、請求項１に記載の発明は、パーソナルコンピュータに着脱自在に接続され、所有者の認証に用いられる認証装置において、認証データがハードウエアによって記録されたハードウエアロックと、前記ハードウエアロックのコントロールを行うデバイスドライバが記憶され、前記パーソナルコンピュータによるアクセスが可能なメモリと、前記ハードウエアロックおよび前記メモリを前記パーソナルコンピュータに接続する接続手段とを具備することを特徴とするパーソナルコンピュータにおける認証装置である。
【０００８】
また、請求項２に記載の発明は、請求項１に記載のパーソナルコンピュータにおける認証装置において、前記接続手段は、前記ハードウエアロックおよび前記メモリを前記パーソナルコンピュータのＵＳＢ端子に接続することを特徴とする。
【０００９】
【発明の実施の形態】
以下、図面を参照し、この発明の一実施の形態について説明する。図１は同実施の形態による認証装置１１および認証装置１１が適用されるパソコン１２の構成を示すブロック図、図２は認証装置１１、パソコン１２の外観図である。
【００１０】
パソコン１２において、１３はＣＰＵ（中央処理装置）、１４はＣＰＵ１３のプログラムが記憶されたＲＯＭ（リードオンリメモリ）、１５はデータ一時記憶用のＲＡＭ（ランダムアクセスメモリ）である。１６はディスプレイ装置１７をコントロールする表示コントローラ、１８はキーボード１９の出力信号をバスラインＢを介してＣＰＵ１３へ伝達するキーボードインターフェイス、２０はＵＳＢコネクタ２１に得られる信号をバスラインＢを介してＣＰＵ１３へ伝達するＵＳＢインターフェイスである。なお、上述したパソコン１２の構成は従来のパソコンと同様である。
【００１１】
次に、認証装置１１において、２２はハードウエアロックであり、内部に認証用のデータおよび認証用回路がハードウエアによって形成されている。なお、このハードウエアロック２２は従来のハードウエアロック１（図３参照）と同様に構成されている。２３はフラッシュメモリであり、内部に予めハードウエアロック２２のデバイスドライバが記憶されている。２４はＵＳＢハブであり、ハードウエアロック２２およびフラッシュメモリ２３をＵＳＢコネクタ２５に接続する。ＵＳＢコネクタ２５はＵＳＢコネクタ２１に結合されるコネクタである。
【００１２】
このような構成において、ユーザが認証装置１１のコネクタ２５をパソコン１２のコネクタ２１に接続すると、ＣＰＵ１３がＵＳＢインターフェイス２０を介してフラッシュメモリ２３内のデバイスドライバを読み込み、ＲＡＭ１５に記憶させる。次に、ＣＰＵ１３は、ＲＡＭ１５内に記憶させたデバイスドライバによってハードウエアロック２２内の認証用データを読み出し、読み出した認証用データによってユーザ認証を行う。
【００１３】
このように、上記実施形態によれば、認証装置１１にハードウエアロック２２のデバイスドライバを内蔵させたので、デバイスドライバをインストールするためのフロッピィディスク等を必要としない利点がある。また、ハードウエアロック２２は、平文を与えると暗号化したデータが戻ってくる等の処理を前提とし、暗号ルーチンや認証データが設定されており、デバイスドライバがなければ認証データを絶対に取り出すことができない構成となっている。したがって、このハードウエアロック２２により極めて高いセキュリティを確保することができる。また、フラッシュメモリ２３はＣＰＵ１３によって容易に書き替えが可能であり、したがって、デバイスドライバのバージョンアップにも容易に対応することができる。
【００１４】
【発明の効果】
以上説明したように、この発明によれば、パーソナルコンピュータに着脱自在に接続され、所有者の認証に用いられる認証装置において、認証データがハードウエアによって記録されたハードウエアロックと、ハードウエアロックのコントロールを行うデバイスドライバが記憶され、パーソナルコンピュータによるアクセスが可能なメモリと、ハードウエアロックおよびメモリをパーソナルコンピュータに接続する接続手段とを設けたので、持ち運びが簡単で使い勝手がよく、しかも、極めてセキュリティ機能が高く容易に認証データの盗用ができない認証装置を得ることができる。
【００１５】
また、この発明によれば、ハードウエアロックおよびメモリをパーソナルコンピュータのＵＳＢ端子に接続する接続手段を設けたので、パーソナルコンピュータに簡単に接続できる利点が得られる。
【図面の簡単な説明】
【図１】この発明の一実施形態による認証装置および認証装置が取り付けられるパーソナルコンピュータの構成を示すブロック図である。
【図２】同認証装置およびパーソナルコンピュータの斜視図である。
【図３】従来の認証装置およびパーソナルコンピュータの斜視図である。
【符号の説明】
１１…認証装置
１２…パーソナルコンピュータ
２２…ハードウエアロック
２３…フラッシュメモリ
２４…ＵＳＢハブ
２５…ＵＳＢコネクタ
【図１】
2004086584.tif 000003
【図２】
2004086584.tif 000004
【図３】
2004086584.tif 000005